(57)【要約】      （修正有）【課題】容器本体の機能を損なうことなくスクイズ操作性を向上させた、また多様なバリエーションの容器本体を使用した計量注出容器を提供する。【解決手段】計量注出容器において、胴部３の上端部に口筒部２を起立する容器本体１と、内部に注出筒１４を内鍔状の底壁１３を介して起立設したカップ状の計量部１２を設け、計量部の底壁下面から注出筒の基端開口部を囲うように連結筒部１７を垂下設し、さらに連結筒部下端から口筒部に密嵌着する嵌合筒部１９を垂下設した計量キャップ１１と、注出筒に下方から密嵌入した状態で、容器本体内部に垂下配設するパイプ２５を有し、注出筒の所定高さ位置に注出孔１５を穿設し、連結筒部の周壁に通気孔１８を穿設し、スクイズ性と弾性的な復元性を有する中空体３１を、開口部を介して通気孔に連通状に連結する構成とする。【選択図】図１
2008213847.tif 000002
【特許請求の範囲】
【請求項１】
胴部(3)の上端部に口筒部(2)を起立する容器本体(1)と、内部に注出筒(14)を内鍔状の底壁(13)を介して起立設したカップ状の計量部(12)を設け、該計量部(12)の前記底壁(13)下面から前記注出筒(14)の基端開口部を囲うように連結筒部(17)を垂下設し、さらに該連結筒部(17)下端から前記口筒部(2)に密嵌着する嵌合筒部(19)を垂下設した計量キャップ(11)と、前記注出筒(14)に下方から密嵌入した状態で、前記容器本体(1)内部に垂下配設するパイプ(25)を有し、前記注出筒(14)の所定高さ位置に注出孔(15)を穿設し、前記連結筒部(17)の周壁に通気孔(18)を穿設し、スクイズ性と弾性的な復元性を有する中空体(31)を、該中空体(31)の開口部を介して前記通気孔(18)に連通状に連結する構成とした計量注出容器。
【請求項２】
中空体(31)を合成樹脂製の小型ボトル(32)で構成し、該小型ボトル(32)の口部(32a)を利用して通気孔(18)に連通状に連結する構成とした請求項１記載の計量注出容器。
【請求項３】
中空体(31)を、壁を蛇腹状に形成した合成樹脂製中空体とした請求項１または２記載の計量注出容器。
【請求項４】
連結筒部(17)の周壁の通気孔(18)周縁を基端として、連通筒片(21)を延設し、該連通筒片(21)と中空体(31)の開口部を連通状に連結する構成とした請求項１、２または３記載の計量注出容器。
【請求項５】
計量部(12)の上端開口部を開閉自在に覆う蓋材(22)を有する構成とした請求項１、２、３または４記載の計量注出容器。
【請求項６】
蓋材(22)の頂板下面から外嵌シール筒片(24)を垂下設し、前記蓋材(22)の閉状態で、前記外嵌シール筒片(24)が注出筒(14)の上方から密に外嵌し、注出孔(15)を塞ぐ構成とした請求項５記載の計量注出容器。
【請求項７】
容器本体をペットボトルとした請求項１、２、３、４、５または６記載の計量注出容器。
【発明の詳細な説明】
【技術分野】
【０００１】
本発明は、容器本体の口筒部に、内容液を計量注出するため計量機能を備えたキャップを装着した計量注出容器に関する。
【背景技術】
【０００２】
特許文献１に、容器本体の口筒部に計量機能を有するキャップを装着した計量注出容器に係る発明が記載されている。この容器の基本的な使用手順は、容器本体の胴部をスクイズし、容器本体内部を加圧状態にして、容器本体内に垂下設されたパイプを介して、一定量の内容液を計量筒内に流入させて使用するものである。
【特許文献１】特開２０００−１６４５０号公報
【発明の開示】
【発明が解決しようとする課題】
【０００３】
上記した従来技術の計量容器では、胴部へのスクイズ操作はその圧搾の程度いが人によって大きく異なること、また内容液の残量により圧搾の度合いを調整する必要がある等、一定の操作性を得ることが困難であると云う問題がある。
また、スクイズ性と弾性的な復元性を考慮して、容器本体は比較的軟質な合成樹脂材料を使用し、胴部を薄肉に成形したものが使用さるので容器本体に要求される剛性や自立性、耐熱性、さらには外観形状等の、基本的な性能が損なわれると云う問題もあり、例えば、飲料用等に広範に利用されている比較的剛性の高いペットボトル等の使用はそのままでは困難であり、包装材もふくめた商品設計に係る制限が大きくなってしまう。
【０００４】
そこで本発明は、スクイズ機能を備えた計量キャップの創出を課題とし、容器本体の機能を損なうことなくスクイズ操作性を向上させた、また多様なバリエーションの容器本体を使用した計量注出容器を提供することを目的とする。
【課題を解決するための手段】
【０００５】
上記技術的課題を解決する本発明の内、請求項１記載の発明の手段は、
計量注出容器において、
胴部の上端部に口筒部を起立する容器本体と、
内部に注出筒を内鍔状の底壁を介して起立設したカップ状の計量部を設け、計量部の底壁下面から注出筒の基端開口部を囲うように連結筒部を垂下設し、さらに連結筒部下端から口筒部に密嵌着する嵌合筒部を垂下設した計量キャップと、
注出筒に下方から密嵌入した状態で、容器本体内部に垂下配設するパイプを有すること、
注出筒の所定高さ位置に注出孔を穿設すること、
連結筒部の周壁に通気孔を穿設すること、
スクイズ性と弾性的な復元性を有する中空体を、開口部を介して通気孔に連通状に連結する構成とすること、
にある。
【０００６】
請求項１記載の上記構成により、嵌合筒片を容器本体の口筒部に密に嵌着させて計量キャップを容器本体の上方に装着した状態で、中空体をスクイズすると連結筒片に穿設された通気孔を介して容器本体内部が加圧され、内容液が、パイプ、注出筒を上昇し、注出筒に穿設された注出孔からカップ状の計量部内に流出する。
【０００７】
計量部内の液面が注出孔を超えたレベルに達したところで、中空体のスクイズを緩めると、中空体が弾性的な復元性により元の形状に復帰するので、容器本体内部が減圧状態になり、これによって注出孔の下縁よりも上方の液体は注出孔、注出筒、パイプを通して、容器本体内に戻り、その結果一定量の内容液を計量部に貯留させることができる。
【０００８】
このように、別部材である中空体がスクイズ性を担う構成とすることにより、容器本体自体が本来担う、剛性、自立性、耐熱性、さらには外観形状等の基本的な性能を損なうことがない。
また一方で、容器本体の基本的な性能については考慮することなく、計量部に貯める液の量、内容液の残量の変化に伴なうスクイズ操作性の変化等を十分考慮して、中空体の材質、容量、形状、肉厚等によりスクイズ特性を設定することができるので、商品の使用態様に応じたスクイズ特性として、良好で安定した操作性を付与することが可能となる。
【０００９】
なお、注出孔を穿設する高さ位置は計量部に貯留させる液量等を考慮して決めることができる設計事項であり、注出筒の先端開口部をそのまま注出孔とすることも可能ではあるが、スクイズ時に内容液が外部へ噴出することを考慮すると、この注出筒は有頂として、注出孔をその周壁に穿設するのが好ましい。
【００１０】
請求項２記載の発明の手段は、請求項１記載の発明において、中空体を合成樹脂製の小型ボトルで構成し、この小型ボトルの口部を利用して通気孔に連通状に連結する構成とすること、にある。
【００１１】
請求項２記載の上記構成は、中空体の具体的な態様の一つを示すものであり、使用する樹脂材料、ボトルの容量、形状、胴部壁の肉厚等によりスクイズ操作性を調整することができ、商品の使用態様に応じたスクイズ特性として、良好で安定した操作性を付与することが可能となる。
【００１２】
請求項３記載の発明の手段は、請求項１または２記載の発明において、中空体を、その壁を蛇腹状に形成した合成樹脂製中空体とすること、にある。
【００１３】
請求項３記載の上記構成も、中空体の具体的な態様の一つを示すものであり、その壁を蛇腹状にした合成樹脂製中空体とすることにより、この蛇腹状の形状を利用して、スクイズ性とその弾性的な復元性を十分発揮させることができる。
【００１４】
請求項４記載の発明の手段は、請求項１、２または３記載の発明において、連結筒部の周壁の通気孔周縁を基端としてから、連通筒片を延設し、この連通筒片と中空体の開口部を連通状に連結する構成とすること、にある。
【００１５】
請求項４記載の上記構成により、延設した連通筒片を利用して中空体を連通状に連結することができ、容器本体や、計量キャップとの干渉を避けてスクイズ操作のし易い位置に、し易い形状の中空体を配設することができる。
なお、連通筒片の延設方向は、成形性、中空体の形状と配設位置を考慮して決めることができる設計事項である。
【００１６】
請求項５記載の発明の手段は、請求項１、２、３または４記載の発明において、計量部の上端開口部を開閉自在に覆う蓋材を有する構成とすること、にある。
【００１７】
請求項５記載の上記構成により、蓋材により内容液の漏出を防ぐことができ、安心して保管できる。
【００１８】
請求項６記載の発明の手段は、請求項５記載の発明において、蓋材の頂板下面から外嵌シール筒片を垂下設し、この蓋材の閉状態で、外嵌シール筒片が注出筒の上方から密に外嵌し、注出孔を塞ぐ構成とすること、にある。
【００１９】
請求項６記載の上記構成により、蓋材を閉状態にすると注出筒の注出孔を確実に密閉状態とすることができ、内容液の漏出をより確実に防ぐことができる。
また、注出筒内から容器本体内部にかけての領域が密閉状態になるので、中空体によるスクイズ操作ができなくなり、スクイズ操作に係る誤操作を防ぐことができる。
【００２０】
請求項７記載の発明の手段は、請求項１、２、３、４、５または６記載の発明において、容器本体をペットボトルとしたこと、にある。
【００２１】
請求項７記載の上記構成により、別部材の中空体でスクイズ機能を担う構成であり、従来から食品用等の分野で、その内容液の性質に合わせて使用されているペット樹脂製の規格型ボトルも容器本体として十分使用することができる。
【発明の効果】
【００２２】
本発明は、上記した構成となっているので、以下に示す効果を奏する。
請求項１記載の発明にあっては、別部材である中空体がスクイズ性を担うので、容器本体自体が本来担う、剛性、自立性、耐熱性、さらには外観形状等の基本的な性能を損なうことがない。
また一方で、容器本体の基本的な性能については考慮することなく、中空体の材質、容量、肉厚等によりスクイズ特性を設定することができるので、商品の使用態様に応じたスクイズ特性として、良好で安定した操作性を付与することが可能となる。
【００２３】
請求項２の発明にあっては、使用する樹脂材料、ボトルの容量、形状、胴部壁の肉厚等によりスクイズ操作性を調整することができ、商品の使用態様に応じたスクイズ特性として、良好で安定した操作性を付与することが可能となる。
【００２４】
請求項３の発明にあっては、蛇腹状の形状を利用して、スクイズ性とその弾性的な復元性を十分発揮させることができる。
【００２５】
請求項４の発明にあっては、延設した連通筒片を利用して中空体を連通状に連結することができ、容器本体や、計量キャップとの干渉避けてスクイズ操作のし易い位置に、し易い形状の中空体を配設することができる。
【００２６】
請求項５の発明にあっては、蓋材により内容液の漏出を防ぐことができ、安心して保管できる。
【００２７】
請求項６の発明にあっては、内容液の漏出をより確実に防ぐことができ、また、注出筒内から容器本体内部にかけての領域が密閉状態になるので、中空体によるスクイズ操作が困難となり、スクイズ操作に係る誤操作を防ぐことができる。
【００２８】
請求項７の発明にあっては、別部材の中空体でスクイズ機能を担う構成であり、従来から食品用等の広い分野で使用されているペット樹脂製の規格型ボトルも容器本体として十分使用することができる。
【発明を実施するための最良の形態】
【００２９】
以下、本発明の計量注出容器の実施形態を実施例に沿って、図面を参照しながら説明する。
図１は本発明の計量注出容器の第１実施例を部分的に縦断して示す正面図である。この容器は、容器本体１と、容器本体１の口筒部２に嵌着する中栓５と、中栓５に螺合組み付きする計量キャップ１１と、中空体３１としての機能を担う小型ボトル３２と、小型ボトル３２の口部３２ａを計量キャップ１１に連通状に接続するジョイント３３と、内容液の上下方向の通路となるパイプ２５の６ケの部材から構成されるものである。
また、計量キャップ１１にはヒンジ２３を介して、頂板から外嵌シール片２４を垂下設した蓋材２２が一体設されている。
【００３０】
容器本体１は２軸延伸ブロー成形によるペットボトルである。中栓５は容器本体１の口筒部２に、打栓により乗り越え係止状に密に嵌着している。
なお、図３は販売時の容器本体１の口筒部２の密封状態の一例を示す縦断面図であるが、本実施例の計量注出容器は図３に示されるように、容器本体１に内容液を充填し、中栓５を打栓して密封し、中栓５にキャップ６を螺合したものと、計量キャップ１１等の他の部材を分離した状態で販売することを想定したものであり、使用時には中栓５の頂壁の一部を、プルリング５ａを利用して破断し、計量キャップ１１等の他の部材を装着する。
【００３１】
計量キャップ１１は透明な合成樹脂製であり、カップ状の形状をして内容液を計量する機能を担う計量部１２と、計量部１２の底壁１３の下面から垂下設される短円筒状の連結筒部１７と、連結筒部１７の下端から外鍔状の頂壁１９ｔを介して垂下設される嵌合筒部１９を有し、この嵌合筒部１９はシール筒片２０により中栓５に密に螺合組み付きし、この中栓５を介して容器本体１の口筒部２に密に嵌着する。
【００３２】
計量部１２の内部には、内鍔状の底壁１３を介して、この底壁１３を基端として有頂細円筒状の注出筒１４が起立設しており、この注出筒１４は２つの段部１４ｓ１，１４ｓ２を有し２段階に縮径している。また、注出筒１４の上の段部１４ｓ２の上方には、周壁に一対の注出孔１５が穿設されている。
また、パイプ２５はこの注出筒１４に下方から、下の段部１４ｓ１まで嵌入して、計量キャップ１１に垂下状に組み付き固定されている。
【００３３】
連結筒部１７の周壁には通気孔１８が穿設されており、この通気孔１８を囲うように、周壁外周面を基端として、先端に螺条を刻設した細円筒状の連通筒片２１が横方向に延設されている。
【００３４】
小型ボトル３２は低密度ポリエチレン樹脂製のブロー成形品であり、胴部３２ｂは指先で容易にスクイズ変形させることができ、また弾性的な復元性により元の形状に容易に復元するものである。
そして、口部３２ａの螺条を利用して、ジョイント３３を使用して上記の連通筒片２１に連通状に接続されている。
【００３５】
次に、図１に示される第１実施例の計量注出容器の使用態様を説明する。
まず、蓋材２２を開の状態にし、小型ボトル３２の胴部３２ｂをスクイズする（図１中の白抜き矢印参照）と、通気孔１８を介し容器本体１内部が加圧状態となり、内容液がパイプ２５、注出筒１４を上昇し、注出孔１５からカップ状の計量部１２に流出する。
【００３６】
そして、計量部１２内の液面が注出孔１５に達したところで（計量部１２の周壁に周線を入れて、そのレベルが判るようにしている。）小型ボトル３２のスクイズを緩めると、小型ボトル３２の胴部３２ｂが弾性力により元の形状に復帰するので、容器本体１内部が減圧状態になり、これによって注出孔１５の下縁よりも上方の液体は注出孔１５、注出筒１４、パイプ２５を通して、容器本体１内部に戻り、その結果計量部１２中での液面レベルは、図１中の２点鎖線で示すレベルになり、一定量の内容液を計量部１２に貯留させ、使用することができる。
【００３７】
使用が終わった際には、蓋材２２を閉状態にして保管するが、蓋材２２を閉状態にすると、外嵌シール筒片２４が注出筒１４の上端部に密に外嵌するので、液漏れを防ぐことができ、また、誤操作により小型ボトル３２をスクイズしても、内容液の上昇が困難で、計量部１２への流出を防ぐことができ、安心して保管することができる。
【００３８】
図２は本発明の計量注出容器の第２実施例を部分的に縦断して示す正面図である。この実施例は計量キャップ１１の計量部１２の高さが高いこと、蓋材２２として販売時に使用するキャップ６（図３参照）を利用している点を除いて、第１実施例の計量注出容器と同じ構成である。
【００３９】
そして、使用後に蓋材２２としてのキャップ６を計量部１２の上端部に螺合組み付けすることにより、シール片６ａにより密嵌合状態となり、この場合も液漏れを防ぐことができ、また、誤操作により小型ボトル３２をスクイズしても、内容液の上昇が困難で、計量部１２への流出を防ぐことができ、安心して保管することができる。
【００４０】
図４は、中空体３１の他の実施例であり、開口部として口部３１ａを有し、胴部３１ｂの壁を蛇腹状に形成したものである。
蛇腹の形成態様は、この例の他にも様々なバリエーションがあり、操作性を考慮して胴部壁の一部を蛇腹状にしたり、図４の方向と直角方向に蛇腹を形成することもできる。
【００４１】
以上、実施例に沿って本願発明の計量注出容器についてその実施形態を説明したが、勿論、本願発明はこの実施例に限定されるものではない。
たとえば、容器本体はペットボトルの他にも、他の合成樹脂材料の多様な形状のものを使用でき、さらには金属製、硝子製のものも使用することができる。
また、中空体もさまざまな形状のものを使用することができる。
【００４２】
また、上記実施例の計量注出容器は、６ケあるいは７ケの別部材を使用して構成されるものであるが、本発明における構成要素を別部材とするか、一体成形品とするかは、成形性、組立のし易さ、操作性を考慮して決めることができるものであり、たとえば上記実施例において、中栓５を使用せずに嵌合筒部１９を直接口筒部２に嵌着させる構成とすることもでき、またジョイント３３を使用せずに中空体３１を直接連結筒片２１に接続する構成とすることもできる。
また、成形を考慮して複雑な形状の計量カップ１１を複数の部材で構成することもできる。
【産業上の利用可能性】
【００４３】
本発明の計量注出容器は上記説明したようなものであり、スクイズ操作のための中空体を別部材と配置したものであり、スクイズ変形が困難な様々なバリエーションンの容器本体を使用することができ、幅広い応用展開が期待される。
【図面の簡単な説明】
【００４４】
【図１】本発明の計量注出容器の第１実施例を部分的に縦断して示す正面図である。
【図２】本発明の計量注出容器の第２実施例を部分的に縦断して示す正面図である。
【図３】販売時の容器本体の口筒部の密封状態の例を示す縦断面図である。
【図４】中空体の他の例を部分的に縦断して示す側面図である。
【符号の説明】
【００４５】
１  ；容器本体
２  ；口筒部
３  ；胴部
５  ；中栓
５ａ；プルリング
６  ；キャップ
６ａ；シール片
１１；計量キャップ
１２；計量部
１３；底壁
１４；注出筒
１４ｓ１、１４ｓ２；段部
１５；注出孔
１７；連結筒部
１８；通気孔
１９；嵌合筒部
１９ｔ；頂壁
２０；シール筒片
２１；連通筒片
２２；蓋材
２３；ヒンジ
２４；外嵌シール筒片
２５；パイプ
３１；中空体
３１ａ；口部
３１ｂ；胴部
３２；小型ボトル
３２ａ；口部
３２ｂ；胴部
３３；ジョイント
【図１】
2008213847.tif 000003
【図２】
2008213847.tif 000004
【図３】
2008213847.tif 000005
【図４】
2008213847.tif 000006